(57)【特許請求の範囲】
【請求項１】
固定される外ケ−ス内にデッドボルト等の掛金に連動する内ケ−スを回転可能に設け、この内ケ−ス内に作動体を有するカ−ド式錠本体を装着し、このカ−ド式錠本体はコード化された孔を形成したキ−カ−ド及びコ−ドカ−ドを有しこの両カードの孔の位置関係により上記作動体が移動可能であり、このカ−ド式錠本体のキ−カ−ド及びコ−ドカ−ドの挿入口に対応して内ケ−スに上記各カ−ドの挿入口を設け、カ−ド式錠本体に上記キ−カ−ドの挿入口よりキ−カ−ドを挿入しこのキ−カ−ドとコ−ドカ−ドの孔の位置関係によりカ−ド式錠本体の作動体を移動させて内ケ−スを回転可能にしこの内ケ−スを施錠位置及び解錠位置へ回転させその位置で施錠、解錠するよう作動する回転制御機構を設けたカ−ド式錠装置。
【請求項２】
回転制御機構は、カ−ド式錠本体の作動体に設けたカム軸と、このカム軸を施錠位置及び解錠位置へ案内し内ケ−スの回転を制御するカム溝を有する固定板を備えた請求項１に記載のカ−ド式錠装置。
【請求項３】
外ケ−ス内に内ケ−スを軸方向に移動可能に設け、カ−ド式錠本体に挿入口よりキ−カ−ドを挿入しカ−ド式錠本体の作動体を移動させて内ケ−スを回転可能にしその所定の回転位置においてコ−ドカ−ドの交換が可能となるよう内ケ−スのコ−ドカ−ド挿入口を外ケ−ス内の閉鎖位置から外ケ−ス外の現出位置へ移動可能とする軸方向位置制御機構を設けた請求項１または２に記載のカ−ド式錠装置。
【請求項４】
軸方向位置制御機構は、カ−ド式錠本体の作動体に設けたカム軸と、このカム軸を所定の位置に案内し内ケ−ス軸方向への移動を制御するカム溝を有する固定板と、外ケースに対し回転しないように内ケースと連動して軸方向に移動可能に形成した移動制御板と、上記カム軸の移動を阻止する係止制御板を備えた請求項３に記載のカ−ド式錠装置。
【請求項５】
外ケ−スの先端部にキ−カ−ドの挿入口を有するカバ−を回転可能に装着した請求項１〜４のいずれかに記載のカ−ド式錠装置。
【発明の詳細な説明】
【０００１】
【発明の属する技術分野】
本発明は、カ−ド式錠を用いた錠装置であって、回転操作によって簡便に施錠、解錠ができると共に、カ−ド式錠のコ−ドカ−ドの交換が簡易かつ安全にできるカ−ド式錠装置に関する。
【０００２】
【従来の技術】
ドア錠として、シリンダ−式（シリンダ−錠）、電気式、磁気式及び暗証番号式のものが知られている。
【０００３】
また、ケ−シング内にキ−カ−ドとコ−ドカ−ドを挿入するための溝を設けると共にこのキ−カ−ド及びコ−ドカ−ドに形成した孔に対応して長孔を設け、この長孔にボ−ル、施錠ピン及びバネを内蔵し、キ−カ−ドとコ−ドカ−ドの孔の有無によって両カ−ドの厚さを変え、施錠ピンの作動によりケ−シング内に設けた移動体を移動して施錠、解錠するようにしたカ−ド式錠として、例えば特公昭５９−２１４１７号に記載のものがある。
【０００４】
更に、上記カ−ド式錠を用い、これをハウジング内に装着し、カ−ド式錠にキ−カ−ドを差し込み、差し込み方向へ移動体を移動させ、その移動（直線方向）を回転方向に変換してデッドボルトを施錠、解錠するようにすると共に、上記カ−ド式錠の作動によってハウジングに設けた蓋を開閉し、カ−ド式錠内のコ−ドカ−ドを交換するようにした錠装置、例えば特開平１１−３１１０４７号に記載されたものがある。
【０００５】
【発明が解決しようとする課題】
上記のシリンダ−式の錠（シリンダ−錠）は、ピッキングにより解錠され易いために、これによる事故が多発していて現在社会問題となっており、その対策が望まれている。
また、電気式錠は、停電の際あるいは錠内に雨水が侵入した際に作動しなかったり、落雷により誤作動を起したりすることがあり、又電池で作動するタイプのものは、電池切れの心配があり、電池切れの際は錠が開閉されないから、そのためのメンテナンスが必要である。
更に、磁気式の錠は、テレビやスピ−カ−等から発生する強い磁気の影響を受け易く、その磁気作用によって誤作動を起すことがあり、しかもこのタイプの鍵は高価であり、紛失した際や予備の鍵を作製する際に多くの費用がかかる。
また、暗証番号式の錠は、暗証番号を忘れたり、他人に暗証番号を見られたりするおそれがあり心配である。
【０００６】
更に、上記カ−ド式錠を用いた錠装置は、このカ−ド式錠にキ−カ−ドを差し込み、その差し込み方向への移動（直線運動）を回転運動に変換してデッドボルトを施錠、解錠するものがあるから、直線運動を回転運動に変換する機構が複雑となり易いものであり、しかもハウジングに蓋が設けられているから、その蓋の存在によりコ−ドカ−ドを交換する場所が知られるという心配がある。
【０００７】
本発明は、これらの点を改善するものであって、施錠、解錠が確実かつ簡便にでき、コ−ドカ−ドの交換が容易であると共に管理がし易く、かつ安全であると共に丈夫でもあり、しかも雨水の侵入を防止したコンパクトなカ−ド式錠装置を提供しようとするものである。
【０００８】
【課題を解決するための手段】
本発明は、固定される外ケ−ス内に回転可能に内ケ−スを設け、この内ケ−ス内に作動体を有するカ−ド式錠本体を装着し、カ−ド式錠本体にキ−カ−ドを差し込み、カ−ド式錠本体の作動体を移動して内ケ−スを回転可能とし、内ケ−スをカ−ド式錠本体と共に施錠位置及び解錠位置へ回転移動させることによって、内ケ−スに連結したデッドボルト等の掛金を施錠、解錠するようにしたものである。
【０００９】
また、本発明は、外ケ−ス内に内ケ−スを回転可能かつ軸方向に移動可能に設け、内ケ−ス内に装着したカ−ド式錠本体にキ−カ−ドを差し込み、カ−ド式錠本体の作動体を移動して内ケ−スを回転可能にすると共に、所定の回転位置において内ケ−スを軸方向に移動可能にし、内ケ−スに設けたコ−ドカ−ド挿入口を外ケ−ス内の閉鎖位置から外ケ−ス外の現出位置へ移動してコ−ドカ−ドを交換し得るようにしたものである。
【００１０】
更に、外ケ−スの先端部に、キ−カ−ドの挿入口を有するカバ−を回転可能に装着し、キ−カ−ド挿入口からの雨水の侵入を防止するようにしたものである。
【００１１】
【発明の実施の形態】
カ−ド式錠装置（１）は、図１及び図１０に示すように、ドア（２）に設けた座（３）に固定した外ケ−ス（４）と、この外ケ−ス内に左右回転可能かつ軸方向に移動可能に支持した内ケ−ス（５）を有し、この内ケ−ス内に後記するカ−ド式錠本体（６）を装着しているものであって、このカ−ド式錠本体にキ−カ−ド（７）を挿入し、キ−カ−ドを内ケ−スと共に左右方向に回転することによってデッドボルト（８）等の掛金を施錠、解錠するようにしている。
また、内ケ−スを所定の位置に回転し、その位置で内ケ−スを軸方向に突出させ、これによって現出する内ケ−スのコ−ドカ−ドの挿入口よりコ−ドカ−ド（９）を交換するようにしている。
なお、この実施例では、上記ドア（２）に、レバ−ハンドル(10)によって作動するラッチ(11)が設けられている。
【００１２】
内ケ−ス（５）内に装着されるカ−ド式錠本体（６）は、種々の形態に形成することができるが、その一例を図４及び図５に示す。
カ−ド式錠本体（６）は、ケ−ス(12)内に摺動可能に作動体(13)が挿入されており、この作動体にキ−カ−ド（７）とコ−ドカ−ド（９）を挿入口(14)，(15)より挿入するための溝(16)，(17)が設けられている。
キ−カ−ド（７）とコ−ドカ−ド（９）を挿入した際に、これらのカ−ドに形成される孔(18)に対応するようにこれに直交する作動体とケ−スの位置に長孔(19)が設けられており、この長孔には、キ−カ−ド及びコ−ドカ−ドの孔(18)に係合するボ−ル(20)，(21)と、作動体(13)の移動を阻止し解放するための施錠ピン(22)，(23)と、施錠ピンをボ−ル側へ付勢するバネ(24)が挿入されている。
このように構成されているので、図５（Ａ）に示すように、キ−カ−ドとコ−ドカ−ドの孔(18)の位置が解錠位置にあるときは、施錠ピン(22)，(23)の境界が作動体(13)とケ−ス(12)の境界に一致するので、キ−カ−ド（７）を溝(16)の先端部に形成したストッパ−(25)に当てて押し込むと、図５（Ｂ）に示すようにコ−ドカ−ド（９）が作動体(13)と共に移動し、作動体の先端部がケ−スのストッパ−(26)に当接して止まる。
ここで、キ−カ−ド（７）を引き戻すと、コ−ドカ−ド（９）が作動体(13)と共に元の位置方向へ移動し、作動体の先端部に形成したストッパ−(27)がケ−スの端面に当って止まり作動体(13)が元の位置に戻る。
なお、図５（Ｃ）に示すように、不正なキ−カ−ドを挿入したときは、施錠ピン(22)，(23)の境界が作動体(13)とケ−ス(12)の境界と一致せず施錠ピン(22)，(23)が作動体(13)とケ−ス(12)に交叉する状態になるので、作動体(13)はコ−ドカ−ド（９）と共に移動することができない。
【００１３】
カ−ド式錠本体（６）は、図２、図６及び図１０に示すように、そのキ−カ−ドの挿入口(14)と、コ−ドカ−ドの挿入口(15)が、それぞれ内ケ−ス（５）に形成したキ−カ−ドの挿入口(28)と、コ−ドカ−ドの挿入口(29)に対応するように内ケ−ス（５）に挿入されており、このカ−ド式錠本体に回転軸(30)付の取付板(31)を当てこれをネジ等で内ケ−スに固定している。
一方、カ−ド式錠本体の作動体(13)には、カム軸(32)を有する取付片(33)がネジ等で固定されている。
【００１４】
内ケ−スに固定した取付板(31)の回転軸(30)は、図２、図３及び図１０に示すように、外ケ−ス（４）の取付部(34)にネジ等で固定した固定板(35)の軸受部(36)に回転可能に支持されている。
また、取付板の回転軸(30)には、移動制御板(37)がワッシャ−(38)を介して軸用Ｃ形止輪(39)で支持されており、この移動制御板(37)はその外周に形成した突起(40)が外ケ−ス（４）内の軸方向に延びる案内溝(41)に係合されていて回転しないようになっているので、上記回転軸(30)即ちこれが固定される内ケ−ス（５）は移動制御板(37)に対し回転可能であると共に、移動制御板(37)が内ケ−ス（５）と連動して軸方向に移動可能になっている。
【００１５】
上記固定板(35)及び移動制御板(37)には、カ−ド式錠本体の作動体(13)に固定したカム軸(32)を施錠位置(42)、中立位置(43)及び解錠位置(44)へと案内するカム溝(45)が形成されている。
このカム溝(45)は、カ−ド式錠本体の作動体(13)が移動前の元の位置にあるときには、カム軸(32)を固定板(35)及び移動制御板(37)に形成した切欠溝(46)に係合させ、カム軸が上記中立位置から施錠、解錠位置へ移動するのを阻止し、内ケ−ス（５）が回転できないようにし、また上記作動体(13)が移動したときには、カム軸(32)を円弧状の溝(47)に案内し、内ケ−ス（５）が上記施錠位置及び解錠位置へ回転できるようにしている。
【００１６】
また、上記固定板(35)及び移動制御板(37)のカム溝(45)には、その解錠位置(44)においてカ−ド式錠本体の作動体(13)が元の位置に移動できるように切欠溝(48)，(49)が形成されており、その固定板(35)の解錠位置の切欠溝(48)が、これに係合するカム軸の突部(50)が通過できるように大きな溝に形成されていて、内ケ−ス（５）を軸方向に移動可能にしている。
【００１７】
一方、内ケ−ス（５）に固定した回転軸(30)の軸孔(51)には、連結軸(52)が回転軸(30)と一緒に回転し、かつ回転軸(30)を軸方向に移動できるように係合しており、この連結軸(52)が箱錠(85)のデッドボルト（８）やサムタ−ン(53)に連結する連結部材(54)に連結されている。
この実施例では、上記回転軸(30)の軸孔(51)と連結軸(52)の断面形状がほぼ四角形になっているが、連結軸(52)と回転軸(30)が一緒に回転し、かつ回転軸(30)が連結軸(52)に対し軸方向に移動可能であれば、他の断面形状、例えば三角形、六角形、八角形その他の多角形、楕円形等の非円形のものあるいはキ−結合等を用いて連結するようにしてもよく、また両軸はいずれを軸または軸孔にしてもよい。
なお、上記連結軸(52)は、軸受(55)に軸用Ｃ形止輪(84)を介して支持されている。この軸受は、連結軸支持部材(59)を有し、そのネジ部(60)を外ケ−ス（４）にネジ等で固定した支持板(56)のボス部(57)のネジ孔(58)に係合している。
【００１８】
図示のものでは、外ケ−ス（４）の先端部に連結線(61)及びシ−ル(62)を介してカバ−(63)を回転可能に装着し、このカバ−に形成した孔(64)に内ケ−ス（５）に設けたクリックボ−ル(65)を係合させている。
また、このカバ−(63)には、上記内ケ−ス（５）及びカ−ド式錠本体（６）に形成したキ−カ−ドの挿入孔(28)，(14)に連通するようにキ−カ−ドの挿入口(66)が形成されており、キ−カ−ドを使用しないときに、内ケ−スを回転させて挿入口(66)を下側へ移動させると、この挿入口より雨水が入らないので都合がよい。
【００１９】
カ−ド式錠装置（１）は、上記のように構成されているので、カ−ド式錠本体（６）にキ−カ−ド（７）を挿入しないときは、図７（Ａ）、図８（Ａ）、図９（Ａ）及び図１０に示すように、カ−ド式錠本体の作動体(13)に固定したカム軸(32)が固定板(35)及び移動制御板(37)に形成した切欠溝(46)に係合して内ケ−ス（５）は回転できない。
この状態で、図７（Ｂ）、図８（Ｂ）、図９（Ｂ）及び図１１（Ａ）に示すように、キ−カ−ド（７）をカバ−(63)の挿入口(66)、内ケ−ス（５）の挿入口(28)を通してカ−ド式錠本体（６）の挿入口(14)より溝(16)に挿入すると、カ−ド式錠本体は図５（Ａ）に示すように解錠状態となり、更にキ−カ−ドを押すと、作動体(13)が図５（Ｂ）に示すように移動し、これに伴いカム溝(45)が上記切欠溝(46)より外れて円弧状の溝(47)に案内され、内ケ−ス（５）は回転可能となる。
【００２０】
ここで、図７（Ｃ）、図８（Ｃ）及び図１１（Ｂ）に示すように、キ−カ−ド（７）を右方向に回転すると、カム軸(32)がカム溝(45)の施錠位置(42)に案内され、内ケ−ス（５）内が回転してこれに固定した取付板の回転軸(30)の回転により、連結軸(52)、連結部材(54)が連動してデッドボルト（８）を突出させ施錠状態とする。
施錠後、図７（Ｄ）、（Ｅ）に示すように、キ−カ−ド（７）を元の中立位置に戻し、引き抜くと、作動体(13)は図８（Ａ）、図９（Ａ）及び図１０に示すように元の位置に戻り、内ケ−ス（５）は回転することができない状態になる。
【００２１】
また、錠装置を解錠する際は、図７（Ｆ）、（Ｇ）及び図８（Ｄ）に示すように、キ−カ−ド（７）をカ−ド式錠本体（６）に差し込んで作動体(13)を移動させ、内ケ−ス（５）を左方向の解錠位置へ回転させる。
解錠後は、図７（Ｈ）、（Ｉ）、（Ｊ）に示すように、キ−カ−ド（７）を元の位置に戻し、キ−カ−ドを引き抜いておく。
【００２２】
なお、この例では、上記のように内ケ−ス（５）が中立位置、施錠位置、解錠位置にあることを知らせるために、上記移動制御板(37)にクリック用のボ−ル(67)を設け、このボ−ルを弾性板(68)で押え、ボ−ルが上記取付板(31)に形成した孔(69)に係合した際に弾性板(68)が移動制御板(37)に当って音を発生するようにしている。
【００２３】
次に、上記コ−ドカ−ド（９）を交換する場合について説明する。
図９（Ｃ）及び図１（Ｂ）に示すように、キ−カ−ド（７）をカ−ド式錠本体（６）に差し込み、更に押し込んで作動体(13)を移動させ、内ケ−ス（５）を解錠位置へ回転すると、カム軸(32)がカム溝(45)の解錠位置に移動し、そのカム軸の突部(50)が上記固定板(35)の軸受部(36)に回動可能に支持した係止制御板(70)の係止部(71)に当ってカム軸の移動を阻止するので、この状態ではカム軸(32)がカム溝(41)の切欠溝(48)，(49)へ移動することができない。なお、この場合、係止制御板(70)に設けた長溝(72)にネジ(73)を通し、このネジで固定板(35)に止めることによって回動範囲を規制している。
ここで、図９（Ｄ）及び図１１（Ｃ）に示すように、外ケ−ス（４）に形成された小孔(74)より棒状のものを差し込んで上記係止制御板(70)に連結した作動杆(75)を挿すと、係止制御板(70)が回転し、上記カム軸の突部(50)に当っていた係止制御板の係止部(71)が外れるので、キ−カ−ド（７）を抜くことによりカム軸(32)をカム溝(45)の切欠溝(48)，(49)へ移動させ、カム軸を軸方向に移動可能にする。なお、実施例では、作動杆(75)を押した際に、係止制御板(70)が回転し、カム軸の突部(50)に当っていた係止部(71)を外し、係止制御板に設けた作動子(76)がカム軸の突部(50)を押してカム軸(32)を切欠溝(48)，(49)へ移動させている。
【００２４】
この状態で、内ケ−ス（５）を引き出すと、図１１（Ｄ）に示すようにカム軸の突部(50)がカム溝(45)の切欠溝(49)を通過し、内ケ−ス（５）のコ−ドカ−ドの挿入口(29)が外ケ−ス（４）内の閉鎖位置(77)から現出位置(78)へ移動し、コ−ドカ−ドの挿入口(29)が外ケ−ス（４）外に現われるので、適当な取出片(79)を用い、この取出片に形成した孔(80)にコ−ドカ−ドに形成した突起(81)を引っ掛けるようにしてコ−ドカ−ドを引き出し、他のコ−ドカ−ドと交換する。
交換後は、内ケ−ス（５）を押し込み、キ−カ−ド（７）を差し込んで回転し内ケ−ス（５）を元の中立位置に戻す。
なお、内ケ−ス（５）を引き出す際に、内ケ−スに吸盤や粘着片等を当てて引くようにしてもよいが、カ−ド式錠装置内に例えば固定板(35)と移動制御板(37)の間にスプリングを設けて内ケ−スを外方へ付勢させておくようにしてもよい。
【００２５】
上記カ−ド式錠装置（１）は、カ−ド式錠本体の作動体(13)に設けたカム軸(32)と、このカム軸が係合するカム溝(45)を有する固定板(35)を備えた回転制御機構によって、内ケ−ス（５）を施錠位置、解錠位置へ回転させて施錠、解錠するようにしており、又上記カム軸(32)と、このカム軸が係合するカム溝(41)を有する固定板(35)及び移動制御板(37)と、カム軸(32)の移動を係止し解放する係止制御板(70)を備えた軸方向移動制御機構によって内ケ−ス（５）を軸方向に移動させカ−ド式錠本体（６）内のコ−ドカ−ド（９）を交換するようにしているが、これらの機構は上記構造のものに限定するものではなく、カム軸(32)を外ケ−ス（４）側に固定し、カム溝(45)をカ−ド式錠本体（６）の作動体(13)に固定した制御板に設けたり、カム溝の円弧状の溝(47)を適宜の長さとしたり、又切欠溝(46),(48),(49)の位置を適宜の位置に配置したりすることができる。
【００２６】
なお、上記の例では、外ケ−ス（４）を座（３）に形成した凹部(82)に嵌合し、これをネジ止して固定しているが、この外ケ−スを伝って雨水が凹部(82)内に侵入した場合には、凹部(82)に連通する溝(83)より雨水を排出するようにしている。
【００２７】
また、外ケ−ス（４）や内ケ−ス（５）及びカバ−(63)の角部を丸く形成しておくと、つかみにくくなるので、更に不正な解錠や錠装置の破壊を防ぐことができる。
【００２８】
【発明の効果】
本発明は、上記のように構成されているので、通常の鍵と同様にキ−カ−ドを内ケ−スと共に馴れた左右方向に回転することによって施錠、解錠が簡便にでき、その施錠、解錠位置の確認がし易く、従来のカ−ド式錠のようにキ−カ−ドの直線運動を回転運動に変換して施錠、解錠する場合とは違って、キ−カ−ドの回転運動をそのまま回転運動に変えて施錠、解錠することができるから、複雑な変換機構を必要とせず、従って簡易な構造でコンパクトに、かつ丈夫に作ることができ、故障もなく、経済的にできる。
しかも、内ケ−スを軸方向に移動させ、コ−ドカ−ドの挿入口を現出させることによって挿入口よりコ−ドカ−ドを交換することができ、また内ケ−スを元の位置に戻した際には、コ−ドカ−ド挿入口が外ケ−ス内に隠れて外部からコ−ドカ−ドの挿入口が見えないから、不正なコ−ドカ−ドの交換を防ぐことができ安全である。
また、マンション、アパ−ト等の共同住宅において、入居者が変わる際、あるいは解錠する必要が生じた際等に、コ−ドカ−ドの交換や施錠、解錠が簡易にでき、かつコ−ドカ−ドやキ−カ−ドをプラスチック材等で形成し、これに形成された孔をコ−ド化して管理することができるので、管理し易く、かつ低コストでできる。
更に、外ケ−スの先端部にカバ−を回転可能に設けているので、カバ−を回転させてこれに形成したキ−カ−ドの挿入口を下側に向けておくことができ、挿入口からの雨水の侵入を防ぐことができる。
【図面の簡単な説明】
【図１】本発明の実施例を示す斜面図である。
【図２】内ケ−スへの取付状態を示す分解斜面図である。
【図３】外ケ−スへの取付状態を示す分解斜面図である。
【図４】カ−ド式錠本体の拡大斜面図である。
【図５】カ−ド式錠本体の作動状態を図（Ａ）〜（Ｃ）をもって示す拡大断面図である。
【図６】カ−ド式錠本体を内ケ−スに装着する場合を示す斜面図である。
【図７】本装置を施錠、解錠する操作を図（Ａ）〜（Ｊ）をもって示す概略図である。
【図８】本装置の施錠、解錠状態を図（Ａ）〜（Ｄ）をもって示す概略背面図である。
【図９】本装置の内ケ−スを軸方向に移動する状態を図（Ａ）〜（Ｄ）をもって示す背面図である。
【図１０】本装置の拡大断面図である。
【図１１】本装置の内ケ−スを軸方向に移動する状態を図（Ａ）〜（Ｄ）をもって示す部分断面図である。
【符号の説明】
４  外ケ−ス    ５  内ケ−ス    ６  カ−ド式錠本体    ７  キ−カ−ド  ８  デッドボルト    ９  コ−ドカ−ド    13  作動体    30  回転軸    31取付板    32  カム軸    35  固定板    37  移動制御板    45  カム溝    46，48，49  切欠溝    63  カバ−    70  係止制御板
【図１】
0003906407.tif 000002
【図２】
0003906407.tif 000003
【図３】
0003906407.tif 000004
【図４】
0003906407.tif 000005
【図５】
0003906407.tif 000006
【図６】
0003906407.tif 000007
【図７】
0003906407.tif 000008
【図８】
0003906407.tif 000009
【図９】
0003906407.tif 000010
【図１０】
0003906407.tif 000011
【図１１】
0003906407.tif 000012